【手続補正書】
【提出日】令和3年3月25日(2021.3.25)
【手続補正１】
【補正対象書類名】特許請求の範囲
【補正対象項目名】全文
【補正方法】変更
【補正の内容】
【特許請求の範囲】
【請求項１】
購入者と販売者との間における実質的に定期的な代金の決済を代行する決済代行企業により運用される処理装置であって、
前記販売者により運用されるサーバ装置から前記決済を代行する旨を要求する要求信号を、第１の頻度で通信回線を介して受信する受信手段と、
前記要求信号により特定される金融機関に開設されている前記購入者の口座から前記金融機関に開設されている前記決済代行企業の口座に対して前記代金を送金する旨を指示する第１指示信号を、第２の頻度で通信回線を介して前記金融機関により運用されるサーバ装置に送信する第１指示手段と、
選択された金融機関に開設されている前記決済代行企業の口座から前記販売者により設定された金融機関に開設されている前記販売者の口座に対して前記代金を送金する旨を指示する第２指示信号を、第３の頻度で通信回線を介して前記選択された金融機関により運用されるサーバ装置に送信する第２指示手段と、
を具備し、
前記第１の頻度が、毎週１回又は複数回、毎月１回又は複数回、毎四半期１回又は複数回、毎年１回又は複数回、及び、その他一定の周期に１回又は複数回、を含む群から選択され、一定又は可変であり、
前記第２の頻度が、毎週１回又は複数回、毎月１回又は複数回、毎四半期１回又は複数回、毎年１回又は複数回、及び、その他一定の周期に１回又は複数回、を含む群から選択され、一定又は可変であり、
前記第３の頻度が、毎週１回又は複数回、毎月１回又は複数回、毎四半期１回又は複数回、毎年１回又は複数回、及び、その他一定の周期に１回又は複数回、を含む群から選択され、一定又は可変である、ことを特徴とする処理装置。
【請求項２】
前記通信回線が、インターネット、移動体通信網及び固定通信網のうちの少なくとも１つを含む、請求項１に記載の処理装置。
【請求項３】
ＣＰＵを含む、請求項１又は請求項２に記載の処理装置。
【請求項４】
前記第２の頻度が、前記購入者又は前記販売者により指定されたものである、請求項３に記載の処理装置。
【請求項５】
メインメモリを含む、請求項１から請求項４のいずれかに記載の処理装置。
【請求項６】
前記第３の頻度が、前記販売者により指定されたものである、請求項５に記載の処理装置。
【請求項７】
前記第１指示手段は、前記購入者について設定された複数の金融機関に開設されている口座のうち、前記要求信号により特定される金融機関に開設されている口座から前記代金を送金する旨を指示する第１指示信号を生成する、請求項１から請求項６のいずれかに記載の処理装置。
【請求項８】
前記第２指示手段は、前記販売者について設定された複数の金融機関に開設されている口座のうち、選択された金融機関に開設されている口座に対して前記代金を送金する旨を指示する第２指示信号を生成する、請求項１から請求項７のいずれかに記載の処理装置。
【請求項９】
前記要求信号により特定される前記購入者の口座が開設されている金融機関と、前記販売者により設定された前記販売者の口座が開設されている金融機関とは、同一であるか又は異なる、請求項１から請求項８のいずれかに記載の処理装置。
【請求項１０】
前記選択された金融機関は、前記販売者により設定された前記販売者の口座が開設されている金融機関と同一であるか又は異なる、請求項１から請求項９のいずれかに記載の処理装置。
【請求項１１】
前記決済代行企業が保有する複数の金融機関の口座の残高を記憶する記憶手段と、
前記決済代行企業が保有する複数の金融機関の口座のうち、上限値を上回る残高を有するある金融機関の口座から下限値を下回る残高を有する別の金融機関の口座に送金を実行する残高調整手段と、
をさらに具備する請求項１から請求項１０のいずれかに記載の処理装置。
【請求項１２】
前記購入者及び前記第１指示信号を受信する金融機関から第１インターフェイスを使用するための第１許可情報を取得する第１許可情報取得手段をさらに具備し、
前記第１指示手段は、前記第１許可情報により許可される前記第１インターフェイスを介して前記第１指示信号を前記金融機関により運用されるサーバ装置に送信する、
請求項１から請求項１１のいずれかに記載の処理装置。
【請求項１３】
前記販売者及び前記第２指示信号を受信する金融機関から第２インターフェイスを使用するための第２許可情報を取得する第２許可情報取得手段をさらに具備し、
前記第２指示手段は、前記第２許可情報により許可される前記第２インターフェイスを介して前記第２指示信号を前記選択された金融機関により運用されるサーバ装置に送信する、請求項１から請求項１２のいずれかに記載の処理装置。
【請求項１４】
購入者と販売者との間における実質的に定期的な代金の決済を代行する決済代行企業により運用される処理装置に通信回線を介して接続された金融機関により運用されるサーバ装置であって、
前記販売者により運用されるサーバ装置から前記決済を代行する旨を要求する要求信号を第１の頻度で通信回線を介して受信する前記処理装置から、通信回線を介して送金を指示する旨を示す第１指示信号を第２の頻度で受信する受信手段と、
前記第１指示信号に従って、前記購入者の口座から前記決済代行企業の口座に対して前記代金を送金する送金手段と、
を具備し、
前記第１の頻度が、毎週１回又は複数回、毎月１回又は複数回、毎四半期１回又は複数回、毎年１回又は複数回、及び、その他一定の周期に１回又は複数回、を含む群から選択され、一定又は可変であり、
前記第２の頻度が、毎週１回又は複数回、毎月１回又は複数回、毎四半期１回又は複数回、毎年１回又は複数回、及び、その他一定の周期に１回又は複数回、を含む群から選択され、一定又は可変である、ことを特徴とするサーバ装置。
【請求項１５】
前記通信回線が、インターネット、移動体通信網及び固定通信網のうちの少なくとも１つを含む、請求項１４に記載のサーバ装置。
【請求項１６】
ＣＰＵを含む、請求項１４又は請求項１５に記載のサーバ装置。
【請求項１７】
購入者と販売者との間における実質的に定期的な代金の決済を代行する決済代行企業により運用される処理装置に通信回線を介して接続された金融機関により運用されるサーバ装置であって、
前記販売者により運用されるサーバ装置から前記決済を代行する旨を要求する要求信号を第１の頻度で通信回線を介して受信する前記処理装置から、通信回線を介して送金を指示する旨を示す第２指示信号を第３の頻度で受信する受信手段と、
前記第２指示信号に従って、前記決済代行企業の口座から、前記金融機関又は該金融機関とは異なる金融機関により開設されている前記販売者の口座に対して前記代金を送金する送金手段と、
を具備し、
前記第１の頻度が、毎週１回又は複数回、毎月１回又は複数回、毎四半期１回又は複数回、毎年１回又は複数回、及び、その他一定の周期に１回又は複数回、を含む群から選択され、一定又は可変であり、
前記第３の頻度が、毎週１回又は複数回、毎月１回又は複数回、毎四半期１回又は複数回、毎年１回又は複数回、及び、その他一定の周期に１回又は複数回、を含む群から選択され、一定又は可変である、ことを特徴とするサーバ装置。
【請求項１８】
前記通信回線が、インターネット、移動体通信網及び固定通信網のうちの少なくとも１つを含む、請求項１７に記載のサーバ装置。
【請求項１９】
ＣＰＵを含む、請求項１７又は請求項１８に記載のサーバ装置。
【請求項２０】
購入者と販売者との間における実質的に定期的な代金の決済を代行する決済代行企業により運用される処理装置の使用方法であって、
前記販売者により運用されるサーバ装置から前記決済を代行する旨を要求する要求信号を、第１の頻度で通信回線を介して受信する受信段階と、
前記要求信号により特定される金融機関に開設されている前記購入者の口座から前記金融機関に開設されている前記決済代行企業の口座に対して前記代金を送金する旨を指示する第１指示信号を、第２の頻度で通信回線を介して前記金融機関により運用されるサーバ装置に送信する第１指示段階と、
選択された金融機関に開設されている前記決済代行企業の口座から前記販売者により設定された金融機関に開設されている前記販売者の口座に対して前記代金を送金する旨を指示する第２指示信号を、第３の頻度で通信回線を介して前記選択された金融機関により運用されるサーバ装置に送信する第２指示段階と、
を含み、
前記第１の頻度が、毎週１回又は複数回、毎月１回又は複数回、毎四半期１回又は複数回、毎年１回又は複数回、及び、その他一定の周期に１回又は複数回、を含む群から選択され、一定又は可変であり、
前記第２の頻度が、毎週１回又は複数回、毎月１回又は複数回、毎四半期１回又は複数回、毎年１回又は複数回、及び、その他一定の周期に１回又は複数回、を含む群から選択され、一定又は可変であり、
前記第３の頻度が、毎週１回又は複数回、毎月１回又は複数回、毎四半期１回又は複数回、毎年１回又は複数回、及び、その他一定の周期に１回又は複数回、を含む群から選択され、一定又は可変である、ことを特徴とする使用方法。
【請求項２１】
前記通信回線が、インターネット、移動体通信網及び固定通信網のうちの少なくとも１つを含む、請求項２０に記載の使用方法。
【請求項２２】
前記処理装置がＣＰＵを含む、請求項２０又は請求項２１に記載の使用方法。
【請求項２３】
購入者と販売者との間における実質的に定期的な代金の決済を代行する決済代行企業により運用される処理装置に通信回線を介して接続された金融機関により運用されるサーバ装置の使用方法であって、
前記販売者により運用されるサーバ装置から前記決済を代行する旨を要求する要求信号を第１の頻度で通信回線を介して受信する前記処理装置から、通信回線を介して送金を指示する旨を示す第１指示信号を第２の頻度で受信する受信段階と、
前記第１指示信号に従って、前記購入者の口座から前記決済代行企業の口座に対して前記代金を送金する送金段階と、
を含み、
前記第１の頻度が、毎週１回又は複数回、毎月１回又は複数回、毎四半期１回又は複数回、毎年１回又は複数回、及び、その他一定の周期に１回又は複数回、を含む群から選択され、一定又は可変であり、
前記第２の頻度が、毎週１回又は複数回、毎月１回又は複数回、毎四半期１回又は複数回、毎年１回又は複数回、及び、その他一定の周期に１回又は複数回、を含む群から選択され、一定又は可変である、ことを特徴とする使用方法。
【請求項２４】
前記通信回線が、インターネット、移動体通信網及び固定通信網のうちの少なくとも１つを含む、請求項２３に記載の使用方法。
【請求項２５】
前記金融機関により運用されるサーバ装置がＣＰＵを含む、請求項２３又は請求項２４に記載の使用方法。
【請求項２６】
購入者と販売者との間における実質的に定期的な代金の決済を代行する決済代行企業により運用される処理装置に通信回線を介して接続された金融機関により運用されるサーバ装置の使用方法であって、
前記販売者により運用されるサーバ装置から前記決済を代行する旨を要求する要求信号を第１の頻度で通信回線を介して受信する前記処理装置から、通信回線を介して送金を指示する旨を示す第２指示信号を第３の頻度で受信する受信段階と、
前記第２指示信号に従って、前記決済代行企業の口座から、前記金融機関又は該金融機関とは異なる金融機関により開設されている前記販売者の口座に対して前記代金を送金する送金段階と、
を含み、
前記第１の頻度が、毎週１回又は複数回、毎月１回又は複数回、毎四半期１回又は複数回、毎年１回又は複数回、及び、その他一定の周期に１回又は複数回、を含む群から選択され、一定又は可変であり、
前記第３の頻度が、毎週１回又は複数回、毎月１回又は複数回、毎四半期１回又は複数回、毎年１回又は複数回、及び、その他一定の周期に１回又は複数回、を含む群から選択され、一定又は可変である、ことを特徴とする使用方法。
【請求項２７】
前記通信回線が、インターネット、移動体通信網及び固定通信網のうちの少なくとも１つを含む、請求項２６に記載の使用方法。
【請求項２８】
前記金融機関により運用されるサーバ装置がＣＰＵを含む、請求項２６又は請求項２７に記載の使用方法。
【請求項２９】
コンピュータを、
購入者と販売者との間における実質的に定期的な代金の決済を代行する決済代行企業により運用される処理装置に含まれる手段であって、
前記販売者により運用されるサーバ装置から前記決済を代行する旨を要求する要求信号を、第１の頻度で通信回線を介して受信する受信手段、
前記要求信号により特定される金融機関に開設されている前記購入者の口座から前記金融機関に開設されている前記決済代行企業の口座に対して前記代金を送金する旨を指示する第１指示信号を、第２の頻度で通信回線を介して前記金融機関により運用されるサーバ装置に送信する第１指示手段、及び、
選択された金融機関に開設されている前記決済代行企業の口座から前記販売者により設定された金融機関に開設されている前記販売者の口座に対して前記代金を送金する旨を指示する第２指示信号を、第３の頻度で通信回線を介して前記選択された金融機関により運用されるサーバ装置に送信する第２指示手段、
として機能させ、
前記第１の頻度が、毎週１回又は複数回、毎月１回又は複数回、毎四半期１回又は複数回、毎年１回又は複数回、及び、その他一定の周期に１回又は複数回、を含む群から選択され、一定又は可変であり、
前記第２の頻度が、毎週１回又は複数回、毎月１回又は複数回、毎四半期１回又は複数回、毎年１回又は複数回、及び、その他一定の周期に１回又は複数回、を含む群から選択され、一定又は可変であり、
前記第３の頻度が、毎週１回又は複数回、毎月１回又は複数回、毎四半期１回又は複数回、毎年１回又は複数回、及び、その他一定の周期に１回又は複数回、を含む群から選択され、一定又は可変である、ことを特徴とするコンピュータプログラム。
【請求項３０】
前記通信回線が、インターネット、移動体通信網及び固定通信網のうちの少なくとも１つを含む、請求項２９に記載のコンピュータプログラム。
【請求項３１】
前記処理装置がＣＰＵを含む、請求項２９又は請求項３０に記載のコンピュータプログラム。